(57)【要約】      （修正有）【課題】粘着面の表面積を大きくすることが可能となり、飛翔性昆虫類を効果的に捕獲することができる、飛翔性昆虫類捕獲装置を提供する。【解決手段】平面状の粘着面２００、２０１を両面に有する複数の粘着部２と、設置面Ｓに対して粘着面２００、２０１を立設させた状態で複数の粘着部２をそれぞれ支持する支持部３とを備え、支持部３は、粘着面２００、２０１を立設させた状態で支持する際に、複数の粘着部２の各々における第１の側縁部２０２同士を対向させて配置し、隣接する粘着部２の各々における粘着面２００、２０１同士が所定の角度θ１をなすように、複数の粘着部２の各々における第１の側縁部２０２とは反対側の第２の側縁部２０３をそれぞれ配置した飛翔性昆虫類捕獲装置１Ａ。【選択図】図１
2020048545.tif 000002
【特許請求の範囲】
【請求項１】
平面状の粘着面を両面に有する複数の粘着部と、
設置面に対して前記粘着面を立設させた状態で前記複数の粘着部をそれぞれ支持する支持部と、を備え、
前記支持部は、
前記粘着面を立設させた状態で支持する際に、前記複数の粘着部の各々における第１の側縁部同士を対向させて配置し、隣接する前記粘着部の各々における粘着面同士が所定の角度をなすように、前記複数の粘着部の各々における前記第１の側縁部とは反対側の第２の側縁部をそれぞれ配置した状態で支持する、
ことを特徴とする飛翔性昆虫類捕獲装置。
【請求項２】
前記複数の粘着部は、複数の板状部材でそれぞれ形成されており、
前記支持部は、複数の棒状部材で形成されており、
前記複数の棒状部材は、前記設置面に対して立設されて、前記複数の板状部材の各々における前記第１及び第２の側縁部を支持する、
ことを特徴とする請求項１に記載の飛翔性昆虫類捕獲装置。
【請求項３】
前記複数の粘着部は、１又は複数のシート状部材でそれぞれ形成されており、
前記支持部は、複数の棒状部材で形成されており、
前記複数の棒状部材は、前記設置面に対して立設されて、前記シート状部材を巻回させることで、前記シート状部材を巻回させた部分の各々を、前記第１の側縁部及び第２の側縁部として支持する、
ことを特徴とする請求項１に記載の飛翔性昆虫類捕獲装置。
【請求項４】
前記支持部は、前記複数の粘着部である第１及び第２の粘着部をそれぞれ支持する第１及び第２の支持部を備え、
前記第１及び第２の粘着部と、前記第１及び第２の支持部とは、折り曲げ可能な板状部材で一体的に形成されており、
前記板状部材は、
前記第１の粘着部における下縁部と前記第１の支持部とが隣接して配置され、前記下縁部に沿って折り曲げられることで前記第１の支持部を形成する第１の折り曲げ部と、
前記第２の粘着部における前記下縁部と前記第２の支持部とが隣接して配置され、前記下縁部に沿って折り曲げられることで前記第２の支持部を形成する第２の折り曲げ部と、
前記第１の粘着部における前記第１の側縁部と前記第２の粘着部における前記第１の側縁部とが隣接して配置され、前記第１の側縁部に沿って折り曲げられることで、前記第１及び第２の粘着部の各々における粘着面同士が所定の角度をなすように、前記第１及び第２の粘着部の各々における前記第２の側縁部を配置する第３の折り曲げ部と、を備え、
第１乃至第３の折り曲げ部が折り曲げられることで、前記第１及び第２の支持部が前記第１及び第３の粘着部を支持する、
ことを特徴とする請求項１に記載の飛翔性昆虫類捕獲装置。
【請求項５】
前記第１及び第２の折り曲げ部は、所定の角度ずつずらした状態で形成された複数の折り曲げ線を備える、
ことを特徴とする請求項４に記載の飛翔性昆虫類捕獲装置。
【請求項６】
前記支持部は、
前記複数の粘着部である第１及び第２の粘着部をそれぞれ支持する第１及び第２の支持部と、
前記複数の粘着部である第３及び第４の粘着部をそれぞれ支持する第３及び第４の支持部と、を備え、
前記第１及び第２の粘着部と、前記第１及び第２の支持部とは、折り曲げ可能な第１の板状部材で一体的に形成されており、
前記第３及び第４の粘着部と、前記第３及び第４の支持部とは、折り曲げ可能な第２の板状部材で一体的に形成されており、
前記第１の板状部材は、
前記第１の粘着部における下縁部と前記第１の支持部とが隣接して配置され、前記下縁部に沿って折り曲げられることで前記第１の支持部を形成する第１の折り曲げ部と、
前記第２の粘着部における前記下縁部と前記第２の支持部とが隣接して配置され、前記下縁部に沿って折り曲げられることで前記第２の支持部を形成する第２の折り曲げ部と、
前記第１の粘着部における前記第１の側縁部と前記第２の粘着部における前記第１の側縁部とが隣接して配置され、前記第１の側縁部に沿って前記下縁部から上縁部に向かって設けられた第１の差し込み部と、を備え、
前記第２の板状部材は、
前記第３の粘着部における前記下縁部と前記第３の支持部とが隣接して配置され、前記下縁部に沿って折り曲げられることで前記第３の支持部を形成する第３の折り曲げ部と、
前記第４の粘着部における前記下縁部と前記第４の支持部とが隣接して配置され、前記下縁部に沿って折り曲げられることで前記第４の支持部を形成する第４の折り曲げ部と、
前記第３の粘着部における前記第１の側縁部と前記第４の粘着部における前記第１の側縁部とが隣接して配置され、前記第１の側縁部に沿って前記上縁部から前記下縁部に向かって設けられた第２の差し込み部と、を備え、
第１乃至第４の折り曲げ部が折り曲げられるとともに、前記第１の差し込み部と前記第２の差し込み部とが差し込まれることで、前記第１乃至第４の支持部が前記第１乃至第４の粘着部を支持する、
ことを特徴とする請求項１に記載の飛翔性昆虫類捕獲装置。
【請求項７】
前記支持部は、
前記複数の粘着部である一対の第１及び第２の粘着部をそれぞれ支持する一対の第１乃至第４の支持部を備え、
前記一対の第１及び第２の粘着部と、前記一対の第１乃至第４の支持部とは、折り曲げ可能な一対の板状部材で一体的に形成されており、
前記一対の板状部材の各々は、
前記第１の粘着部における下縁部と前記第１の支持部とが隣接して配置され、前記下縁部に沿って折り曲げられることで前記第１の支持部を形成する第１の折り曲げ部と、
前記第２の粘着部における前記下縁部と前記第２の支持部とが隣接して配置され、前記下縁部に沿って折り曲げられることで前記第２の支持部を形成する第２の折り曲げ部と、
前記第１の粘着部における上縁部と前記第３の支持部とが隣接して配置され、前記上縁部に沿って折り曲げられることで前記第３の支持部を形成する第３の折り曲げ部と、
前記第２の粘着部における前記上縁部と前記第４の支持部とが隣接して配置され、前記上縁部に沿って折り曲げられることで前記第４の支持部を形成する第４の折り曲げ部と、
前記第１の粘着部における前記第１の側縁部と前記第２の粘着部における前記第１の側縁部とが隣接して配置され、前記第１の側縁部に沿って前記下縁部から前記上縁部に向かって設けられた差し込み部と、を備え、
前記一対の板状部材の一方の前記第１及び第２の折り曲げ部と、前記一対の板状部材の他方の前記第３及び第４の折り曲げ部とが折り曲げられるとともに、前記一対の板状部材の各々における前記差し込み部同士が差し込まれることで、前記一対の板状部材の一方の前記第１及び第２の支持部と、前記一対の板状部材の他方の前記第３及び第４の支持部とが、前記一対の第１及び第２の粘着部を支持する、
ことを特徴とする請求項１に記載の飛翔性昆虫類捕獲装置。
【請求項８】
前記支持部は、前記粘着面を立設させた状態で支持する際に、前記複数の粘着部の各々における下縁部の少なくとも一部を前記設置面と離間した状態で支持する、
ことを特徴とする請求項１乃至請求項７のいずれか一項に記載の飛翔性昆虫類捕獲装置。
【請求項９】
隣接する前記粘着部の各々における前記第２の側縁部側にそれぞれ取り付けられて、前記第２の側縁部側同士を接続する接続部材を備える、
ことを特徴とする請求項１乃至請求項８のいずれか一項に記載の飛翔性昆虫類捕獲装置。
【請求項１０】
前記支持部により前記粘着面を立設させた状態で支持された前記複数の粘着部を上方から見たときに、
前記複数の粘着部における前記第２の側縁部の各々は、正多角形の各頂点に対応する位置に配置され、
前記複数の粘着部における前記第１の側縁部の各々は、前記正多角形の中心に対応する位置に配置された、
ことを特徴とする請求項１乃至請求項９のいずれか一項に記載の飛翔性昆虫類捕獲装置。
【請求項１１】
前記複数の粘着部は、第１乃至第４の粘着部を備え、
前記第１及び第２の粘着部は、第１の板状部材で一体的に形成されており、
前記第３及び第４の粘着部は、第２の板状部材で一体的に形成されており、
前記第１の板状部材は、前記第１の粘着部における前記第１の側縁部と前記第２の粘着部における前記第１の側縁部とが隣接して配置され、前記第１の側縁部に沿って下縁部から上縁部に向かって設けられた第１の差し込み部を備え、
前記第２の板状部材は、前記第３の粘着部における前記第１の側縁部と前記第４の粘着部における前記第１の側縁部とが隣接して配置され、前記第１の側縁部に沿って前記上縁部から前記下縁部に向かって設けられた第２の差し込み部を備え、
前記支持部は、第１乃至第４の棒状部材で形成されており、
前記第１乃至第４の棒状部材は、前記第１の差し込み部と前記第２の差し込み部とが差し込まれた状態の前記第１及び第２の板状部材を支持する際に、前記設置面に対して立設されて、前記第１乃至第４の粘着部の各々における前記第２の側縁部を支持する、
ことを特徴とする請求項１に記載の飛翔性昆虫類捕獲装置。
【請求項１２】
前記複数の粘着部の各々は、前記粘着面のうち前記第１の側縁部側かつ上縁部側の隅部が下縁部側に折り曲げられることで、炭酸ガス発生手段を設置する設置部を形成する折り曲げ部を備える、
ことを特徴とする請求項１乃至請求項１１のいずれか一項に記載の飛翔性昆虫類捕獲装置。
【請求項１３】
前記粘着面のうち前記第２の側縁部側の隅部は、青色系で着色されている、
ことを特徴とする請求項１乃至請求項１２のいずれか一項に記載の飛翔性昆虫類捕獲装置。
【請求項１４】
前記複数の粘着部の各々は、前記第１の側縁部と前記第２の側縁部との間で前記粘着面の色を切り替える色切替部を備え、
前記粘着面のうち前記色切替部よりも前記第１の側縁部側は、黒色系で着色されており、
前記粘着面のうち前記色切替部よりも前記第２の側縁部側は、青色系で着色されている、
ことを特徴とする請求項１乃至請求項１３のいずれか一項に記載の飛翔性昆虫類捕獲装置。
【発明の詳細な説明】
【技術分野】
【０００１】
本発明は、例えば、ブユ類等の飛翔性昆虫類を捕獲する飛翔性昆虫類捕獲装置に関する。
【背景技術】
【０００２】
例えば、ブユ類、イエバエ類、クロバエ類、チョウバエ類、コバエ類、ニクバエ類、サシバエ類、ユスリカ類、イエカ類、ヤブカ類、ハマダラカ類、ヌカカ類、アブ類、ハチ類等の飛翔性昆虫類は、人間や家畜を刺咬したり、人間や家畜から吸血したり、病原菌の媒介となったりする等、様々な被害をもたらす害虫であり、これら飛翔性昆虫類を捕獲、駆除するために、飛翔性昆虫類捕獲装置が使用されている。
【０００３】
例えば、特許文献１には、円筒体、円錐体、半球体、鞍型、箱状体、山型、台形体等の立体形状を有する本体１１の表面に、飛翔性昆虫類を付着させ捕獲するための粘着部１６を設けた飛翔性昆虫類駆除装置が開示されている。
【先行技術文献】
【特許文献】
【０００４】
【特許文献１】特開２０１３−１５３６６９号公報
【発明の概要】
【発明が解決しようとする課題】
【０００５】
しかし、特許文献１に開示された飛翔性昆虫類駆除装置では、本体１１の立体形状として、円筒体、円錐体、半球体、鞍型、箱状体、山型、台形体等の形状を採用しているが、それらは凸状の形状であるため、凸状に形成された本体１１の外表面、すなわち、本体１１の片面しか粘着部１６を設けることができない。そのため、本体１１の外形寸法を変更することなく、粘着部１６の表面積を大きくするには限界がある、という問題点があった。
【０００６】
また、特許文献１に開示された飛翔性昆虫類駆除装置では、飛翔性昆虫類が飛来して本体１１に近寄ってきても、本体１１の手前で旋回することで、凸状に設けられた粘着部１６への接触が回避されやすく、飛翔性昆虫類を効果的に捕獲することができない、という問題点があった。
【０００７】
本発明は、このような事情に鑑みてなされたものであって、粘着面の表面積を大きくすることが可能となり、飛翔性昆虫類を効果的に捕獲することができる、飛翔性昆虫類捕獲装置を提供することを目的とする。
【課題を解決するための手段】
【０００８】
本発明は、上記課題を解決するものであって、本発明の一実施形態に係る飛翔性昆虫類捕獲装置は、
平面状の粘着面を両面に有する複数の粘着部と、
設置面に対して前記粘着面を立設させた状態で前記複数の粘着部をそれぞれ支持する支持部と、を備え、
前記支持部は、
前記粘着面を立設させた状態で支持する際に、前記複数の粘着部の各々における第１の側縁部同士を対向させて配置し、隣接する前記粘着部の各々における粘着面同士が所定の角度をなすように、前記複数の粘着部の各々における前記第１の側縁部とは反対側の第２の側縁部をそれぞれ配置した状態で支持する、
ことを特徴とする。
【０００９】
また、本発明の一実施形態に係る飛翔性昆虫類捕獲装置は、
前記複数の粘着部は、複数の板状部材でそれぞれ形成されており、
前記支持部は、複数の棒状部材で形成されており、
前記複数の棒状部材は、前記設置面に対して立設されて、前記複数の板状部材の各々における前記第１及び第２の側縁部を支持する、
ことを特徴とする。
【００１０】
また、本発明の一実施形態に係る飛翔性昆虫類捕獲装置は、
前記複数の粘着部は、１又は複数のシート状部材でそれぞれ形成されており、
前記支持部は、複数の棒状部材で形成されており、
前記複数の棒状部材は、前記設置面に対して立設されて、前記シート状部材を巻回させることで、前記シート状部材を巻回させた部分の各々を、前記第１の側縁部及び第２の側縁部として支持する、
ことを特徴とする。
【００１１】
また、本発明の一実施形態に係る飛翔性昆虫類捕獲装置は、
前記支持部は、前記複数の粘着部である第１及び第２の粘着部をそれぞれ支持する第１及び第２の支持部を備え、
前記第１及び第２の粘着部と、前記第１及び第２の支持部とは、折り曲げ可能な板状部材で一体的に形成されており、
前記板状部材は、
前記第１の粘着部における下縁部と前記第１の支持部とが隣接して配置され、前記下縁部に沿って折り曲げられることで前記第１の支持部を形成する第１の折り曲げ部と、
前記第２の粘着部における前記下縁部と前記第２の支持部とが隣接して配置され、前記下縁部に沿って折り曲げられることで前記第２の支持部を形成する第２の折り曲げ部と、
前記第１の粘着部における前記第１の側縁部と前記第２の粘着部における前記第１の側縁部とが隣接して配置され、前記第１の側縁部に沿って折り曲げられることで、前記第１及び第２の粘着部の各々における粘着面同士が所定の角度をなすように、前記第１及び第２の粘着部の各々における前記第２の側縁部を配置する第３の折り曲げ部と、を備え、
第１乃至第３の折り曲げ部が折り曲げられることで、前記第１及び第２の支持部が前記第１及び第３の粘着部を支持する、
ことを特徴とする。
【００１２】
また、本発明の一実施形態に係る飛翔性昆虫類捕獲装置は、
前記第１及び第２の折り曲げ部は、所定の角度ずつずらした状態で形成された複数の折り曲げ線を備える、
ことを特徴とする。
【００１３】
また、本発明の一実施形態に係る飛翔性昆虫類捕獲装置は、
前記支持部は、
前記複数の粘着部である第１及び第２の粘着部をそれぞれ支持する第１及び第２の支持部と、
前記複数の粘着部である第３及び第４の粘着部をそれぞれ支持する第３及び第４の支持部と、を備え、
前記第１及び第２の粘着部と、前記第１及び第２の支持部とは、折り曲げ可能な第１の板状部材で一体的に形成されており、
前記第３及び第４の粘着部と、前記第３及び第４の支持部とは、折り曲げ可能な第２の板状部材で一体的に形成されており、
前記第１の板状部材は、
前記第１の粘着部における下縁部と前記第１の支持部とが隣接して配置され、前記下縁部に沿って折り曲げられることで前記第１の支持部を形成する第１の折り曲げ部と、
前記第２の粘着部における前記下縁部と前記第２の支持部とが隣接して配置され、前記下縁部に沿って折り曲げられることで前記第２の支持部を形成する第２の折り曲げ部と、
前記第１の粘着部における前記第１の側縁部と前記第２の粘着部における前記第１の側縁部とが隣接して配置され、前記第１の側縁部に沿って前記下縁部から上縁部に向かって設けられた第１の差し込み部と、を備え、
前記第２の板状部材は、
前記第３の粘着部における前記下縁部と前記第３の支持部とが隣接して配置され、前記下縁部に沿って折り曲げられることで前記第３の支持部を形成する第３の折り曲げ部と、
前記第４の粘着部における前記下縁部と前記第４の支持部とが隣接して配置され、前記下縁部に沿って折り曲げられることで前記第４の支持部を形成する第４の折り曲げ部と、
前記第３の粘着部における前記第１の側縁部と前記第４の粘着部における前記第１の側縁部とが隣接して配置され、前記第１の側縁部に沿って前記上縁部から前記下縁部に向かって設けられた第２の差し込み部と、を備え、
第１乃至第４の折り曲げ部が折り曲げられるとともに、前記第１の差し込み部と前記第２の差し込み部とが差し込まれることで、前記第１乃至第４の支持部が前記第１乃至第４の粘着部を支持する、
ことを特徴とする。
【００１４】
また、本発明の一実施形態に係る飛翔性昆虫類捕獲装置は、
前記支持部は、
前記複数の粘着部である一対の第１及び第２の粘着部をそれぞれ支持する一対の第１乃至第４の支持部を備え、
前記一対の第１及び第２の粘着部と、前記一対の第１乃至第４の支持部とは、折り曲げ可能な一対の板状部材で一体的に形成されており、
前記一対の板状部材の各々は、
前記第１の粘着部における下縁部と前記第１の支持部とが隣接して配置され、前記下縁部に沿って折り曲げられることで前記第１の支持部を形成する第１の折り曲げ部と、
前記第２の粘着部における前記下縁部と前記第２の支持部とが隣接して配置され、前記下縁部に沿って折り曲げられることで前記第２の支持部を形成する第２の折り曲げ部と、
前記第１の粘着部における上縁部と前記第３の支持部とが隣接して配置され、前記上縁部に沿って折り曲げられることで前記第３の支持部を形成する第３の折り曲げ部と、
前記第２の粘着部における前記上縁部と前記第４の支持部とが隣接して配置され、前記上縁部に沿って折り曲げられることで前記第４の支持部を形成する第４の折り曲げ部と、
前記第１の粘着部における前記第１の側縁部と前記第２の粘着部における前記第１の側縁部とが隣接して配置され、前記第１の側縁部に沿って前記下縁部から前記上縁部に向かって設けられた差し込み部と、を備え、
前記一対の板状部材の一方の前記第１及び第２の折り曲げ部と、前記一対の板状部材の他方の前記第３及び第４の折り曲げ部とが折り曲げられるとともに、前記一対の板状部材の各々における前記差し込み部同士が差し込まれることで、前記一対の板状部材の一方の前記第１及び第２の支持部と、前記一対の板状部材の他方の前記第３及び第４の支持部とが、前記一対の第１及び第２の粘着部を支持する、
ことを特徴とする。
【００１５】
また、本発明の一実施形態に係る飛翔性昆虫類捕獲装置は、
前記支持部は、前記粘着面を立設させた状態で支持する際に、前記複数の粘着部の各々における下縁部の少なくとも一部を前記設置面と離間した状態で支持する、
ことを特徴とする。
【００１６】
また、本発明の一実施形態に係る飛翔性昆虫類捕獲装置は、
隣接する前記粘着部の各々における前記第２の側縁部側にそれぞれ取り付けられて、前記第２の側縁部側同士を接続する接続部材を備える、
ことを特徴とする。
【００１７】
また、本発明の一実施形態に係る飛翔性昆虫類捕獲装置は、
前記支持部により前記粘着面を立設させた状態で支持された前記複数の粘着部を上方から見たときに、
前記複数の粘着部における前記第２の側縁部の各々は、正多角形の各頂点に対応する位置に配置され、
前記複数の粘着部における前記第１の側縁部の各々は、前記正多角形の中心に対応する位置に配置された、
ことを特徴とする。
【００１８】
また、本発明の一実施形態に係る飛翔性昆虫類捕獲装置は、
前記複数の粘着部は、第１乃至第４の粘着部を備え、
前記第１及び第２の粘着部は、第１の板状部材で一体的に形成されており、
前記第３及び第４の粘着部は、第２の板状部材で一体的に形成されており、
前記第１の板状部材は、前記第１の粘着部における前記第１の側縁部と前記第２の粘着部における前記第１の側縁部とが隣接して配置され、前記第１の側縁部に沿って下縁部から上縁部に向かって設けられた第１の差し込み部を備え、
前記第２の板状部材は、前記第３の粘着部における前記第１の側縁部と前記第４の粘着部における前記第１の側縁部とが隣接して配置され、前記第１の側縁部に沿って前記上縁部から前記下縁部に向かって設けられた第２の差し込み部を備え、
前記支持部は、第１乃至第４の棒状部材で形成されており、
前記第１乃至第４の棒状部材は、前記第１の差し込み部と前記第２の差し込み部とが差し込まれた状態の前記第１及び第２の板状部材を支持する際に、前記設置面に対して立設されて、前記第１乃至第４の粘着部の各々における前記第２の側縁部を支持する、
ことを特徴とする。
【００１９】
また、本発明の一実施形態に係る飛翔性昆虫類捕獲装置は、
前記複数の粘着部の各々は、前記粘着面のうち前記第１の側縁部側かつ上縁部側の隅部が下縁部側に折り曲げられることで、炭酸ガス発生手段を設置する設置部を形成する折り曲げ部を備える、
ことを特徴とする。
【００２０】
また、本発明の一実施形態に係る飛翔性昆虫類捕獲装置は、
前記粘着面のうち前記第２の側縁部側の隅部は、青色系で着色されている、
ことを特徴とする。
【００２１】
また、本発明の一実施形態に係る飛翔性昆虫類捕獲装置は、
前記複数の粘着部の各々は、前記第１の側縁部と前記第２の側縁部との間で前記粘着面の色を切り替える色切替部を備え、
前記粘着面のうち前記色切替部よりも前記第１の側縁部側は、黒色系で着色されており、
前記粘着面のうち前記色切替部よりも前記第２の側縁部側は、青色系で着色されている、
ことを特徴とする。
【発明の効果】
【００２２】
本発明の一実施形態に係る飛翔性昆虫類捕獲装置によれば、支持部が、設置面に対して複数の粘着部の各々が両面に有する粘着面を立設させた状態で複数の粘着部を支持するので、粘着面の表面積を大きくすることが可能となる。
【００２３】
また、支持部が、隣接する粘着部の各々における粘着面同士が所定の角度をなすように、複数の粘着部を支持するので、飛翔性昆虫類が飛来して飛翔性昆虫類捕獲装置に近寄ってきたときに、所定の角度をなすように凹状に設けられた粘着面の狭小部分に入りこむことにより、粘着部の手前で旋回しても粘着面に接触する可能性が高くなるため、飛翔性昆虫類を効果的に捕獲することができる。
【図面の簡単な説明】
【００２４】
【図１】本発明の第１の実施形態に係る飛翔性昆虫類捕獲装置１Ａの一例を示し、（ａ）は斜視図、（ｂ）は上面図、（ｃ）は棒状部材３０Ａの拡大上面図、（ｄ）は棒状部材３０Ｂの拡大上面図である。
【図２】本発明の第２の実施形態に係る飛翔性昆虫類捕獲装置１Ｂの一例を示し、（ａ）は斜視図、（ｂ）は上面図である。
【図３】本発明の第３の実施形態に係る飛翔性昆虫類捕獲装置１Ｃの一例を示し、（ａ）は第１の実施例を示す上面図、（ｂ）は第２の実施例を示す上面図である。
【図４】本発明の第４の実施形態に係る飛翔性昆虫類捕獲装置１Ｄの一例を示し、（ａ）は使用前の正面図、（ｂ）は使用時の斜視図である。
【図５】本発明の第５の実施形態に係る飛翔性昆虫類捕獲装置１Ｅの一例を示し、（ａ）は使用前の正面図、（ｂ）は使用時の斜視図、（ｃ）は使用時の正面図である。
【図６】本発明の第６の実施形態に係る飛翔性昆虫類捕獲装置１Ｆの一例を示し、（ａ）は使用前の正面図、（ｂ）は使用時の斜視図である。
【図７】本発明の第７の実施形態に係る飛翔性昆虫類捕獲装置１Ｇの一例を示し、（ａ）は使用前の正面図、（ｂ）は差し込み前の斜視図、（ｃ）は使用時の斜視図である。
【図８】本発明の第８の実施形態に係る飛翔性昆虫類捕獲装置１Ｈの一例を示し、（ａ）は使用前の正面図、（ｂ）は差し込み前の斜視図、（ｃ）は使用時の斜視図である。
【図９】本発明の第９の実施形態に係る飛翔性昆虫類捕獲装置１Ｊの一例を示し、（ａ）は使用前の正面図、（ｂ）は差し込み前の斜視図、（ｃ）は使用時の斜視図である。
【図１０】本発明の第１０の実施形態に係る飛翔性昆虫類捕獲装置１Ｋの一例を示し、（ａ）は使用前の正面図、（ｂ）は差し込み前の斜視図、（ｃ）は使用時の斜視図である。
【発明を実施するための形態】
【００２５】
以下、本発明の一実施形態について添付図面を参照しつつ説明する。
【００２６】
（第１の実施形態）
図１は、本発明の第１の実施形態に係る飛翔性昆虫類捕獲装置１Ａの一例を示し、（ａ）は斜視図、（ｂ）は上面図、（ｃ）は棒状部材３０Ａの拡大上面図、（ｄ）は棒状部材３０Ｂの拡大上面図である。飛翔性昆虫類捕獲装置１Ａは、例えば、ブユ類等の飛翔性昆虫類を捕獲するために、屋外の設置面Ｓに設置されて使用される装置である。
【００２７】
飛翔性昆虫類捕獲装置１Ａは、平面状の粘着面２００、２０１を両面に有する４つの粘着部２と、設置面Ｓに設置されて、設置面Ｓに対して粘着面２００、２０１を立設させた状態で４つの粘着部２をそれぞれ支持する支持部３と、を備える。
【００２８】
４つの粘着部２の各々は、矩形状の板状部材２０で構成されており、例えば、プラスチック段ボール、段ボール紙、厚紙、木材、合成樹脂等の材料で製作されている。なお、飛翔性昆虫類捕獲装置１Ａは、屋外の設置面Ｓに設置されて、風、雨、露等に晒されるため、板状部材２０は、所定の強度と防水性を有することが好ましい。
【００２９】
粘着部２は、支持部３により設置面Ｓに対して粘着面２００、２０１を立設させた状態で支持されることで、板状部材２０は、例えば、衝立のように、設置面Ｓに対して鉛直方向に立ち上げられた状態で設置される。
【００３０】
粘着部２は、支持部３により設置面Ｓに対して粘着面２００、２０１を立設させた状態で支持される際に、矩形状の板状部材２０の各辺を構成する４つの縁部として、水平方向の縁部に対応する第１の側縁部２０２及び第１の側縁部２０２とは反対側の第２の側縁部２０３と、上下方向の縁部に対応する上縁部２０４及び上縁部２０４とは反対側の下縁部２０５と、を備える。
【００３１】
板状部材２０は、外形寸法として、第１の側縁部２０２及び第２の側縁部２０３の間の寸法である幅Ｗ１と、上縁部２０４及び下縁部２０５の間の寸法である高さＨ１と、粘着面２００及び粘着面２０１の間の寸法である厚みＴ１とからなる。板状部材２０は、例えば、幅Ｗ１が４００ｍｍ〜１０００ｍｍ程度、高さＨ１が４００ｍｍ〜２０００ｍｍ程度、厚みＴ１が１ｍｍ〜１０ｍｍ程度であるが、これらに限られない。
【００３２】
粘着面２００、２０１は、第１の側縁部２０２及び第２の側縁部２０３の中央付近で色分けされる色切替部２０６を有し、色切替部２０６に対して第１の側縁部２０２側は、例えば、青色２０７Ａで着色されており、色切替部２０６に対して第２の側縁部２０３側は、例えば、黒色２０７Ｂで着色されている。なお、粘着面２００、２０１を着色する色や、色を配色する際のパターンは、飛翔性昆虫類の種類等に応じて適宜変更してもよい。
【００３３】
また、粘着面２００、２０１は、板状部材２０の両面全体に、例えば、ポリブテン等を含む粘着性材料が塗布又は散布されることで粘着層（図示せず）が形成されている。粘着性材料は、着色された粘着面２００、２０１の青色２０７Ａ及び黒色２０７Ｂを粘着層で隠さないように、例えば、無色透明であることが好ましい。
【００３４】
使用前の粘着面２００、２０１は、例えば、薄膜状の剥離シート（図示せず）で被覆されており、使用時に剥離シートが剥離されるように構成されている。なお、粘着面２００、２０１は、粘着性材料を予め塗布又は散布するのではなく、使用直前に、粘着性材料を塗布又は散布するようにしてもよいし、粘着性材料でシート状に形成された粘着シートを貼付するようにしてもよい。
【００３５】
支持部３は、５つの棒状部材３０Ａ、３０Ｂで構成されており、例えば、金属製や合成樹脂製のパイプで製作されている。５つの棒状部材３０Ａ、３０Ｂは、設置面Ｓに設置されたときに、設置面Ｓから所定の高さＨ２に位置する上端部３００と、設置面Ｓに位置する下端部３０１と、設置面Ｓから所定の高さＨ３（＜Ｈ２）に位置する支持端部３０２と、を備え、上端部３００と支持端部３０２との間における所定の高さＨ１（＝Ｈ２−Ｈ３）において、４つの板状部材２０の各々における第１の側縁部２０２及び第２の側縁部２０３を支持する。棒状部材３０Ａ、３０Ｂは、例えば、高さＨ２が４００ｍｍ〜２０００ｍｍ程度であるが、これらに限られない。
【００３６】
なお、棒状部材３０Ａ、３０Ｂは、図１（ａ）〜（ｃ）に示すように、円柱状のパイプで製作されているが、角柱状のパイプで製作されていてもよい。また、棒状部材３０Ａ、３０Ｂは、伸長及び縮小が可能であって使用時に伸長するようにしてもよいし、連結及び分割が可能であって使用時に連結するようにしてもよい。さらに、棒状部材３０は、下端部３０１を、例えば、円錐状のように徐々に細くすることにより、設置面Ｓに対して突き立てるようにしてもよいし、下端部３０１に、テント等の設営に用いるペグが貫通可能な貫通孔を備えることにより、設置面Ｓに対してペグで固定するようにしてもよいし、上端部３００に、ロープを結束可能な貫通孔を備えることにより、設置面Ｓに対してロープとペグで固定するようにしてもよい。
【００３７】
支持部３は、設置面Ｓに対して粘着面２００、２０１を立設させた状態で４つの粘着部２を支持する際に、４つの粘着部２の各々における第１の側縁部２０２同士を対向させて配置し、隣接する粘着部２の各々における粘着面２００、２０１同士が所定の角度θ１（θ１＝９０度）をなすように、４つの粘着部２の各々における第２の側縁部２０３をそれぞれ配置した状態で支持する。すなわち、支持部３は、隣接する板状部材２０の各々における粘着面２００、２０１が、所定の角度θ１をなすことで、凹状の狭小部分１０をそれぞれ形成するように、４つの板状部材２０を支持する。
【００３８】
また、支持部３は、粘着面２００、２０１を立設させた４つの粘着部２の各々における下縁部２０５の少なくとも一部を設置面Ｓと離間した状態で４つの粘着部２を支持する。すなわち、支持部３は、板状部材２０の下縁部２０５と設置面Ｓとの間に、幅Ｗ１及び高さＨ３からなる空隙Ｇが存在する状態で４つの板状部材２０を支持する。
【００３９】
５つの棒状部材３０Ａ、３０Ｂの設置面Ｓに対する配置としては、図１（ｂ）に示すように、飛翔性昆虫類捕獲装置１Ａを上方から見たときに、１つの棒状部材３０Ａが、正方形の中心に対応する中心位置に配置され、４つの棒状部材３０Ｂが、正方形の各頂点に対応する頂点位置に配置される。
【００４０】
正方形の中心位置に配置された１つの棒状部材３０Ａは、４つの粘着部２の各々における第１の側縁部２０２を支持するために、棒状部材３０Ａの軸方向に沿って形成された４つの溝部３０３Ａを備える。４つの溝部３０３Ａは、棒状部材３０Ａの周方向に一定の間隔で配置されており、棒状部材３０Ａの上端部３００及び支持端部３０２の間を結ぶように直線状に形成されている。
【００４１】
正方形の頂点位置に配置された４つの棒状部材３０Ｂの各々は、４つの粘着部２の各々における第２の側縁部２０３をそれぞれ支持するために、棒状部材３０Ｂの軸方向に沿って形成された溝部３０３Ｂを備える。溝部３０３Ｂは、棒状部材３０Ｂの上端部３００及び支持端部３０２の間を結ぶように直線状に形成されている。
【００４２】
したがって、５つの棒状部材３０Ａ、３０Ｂは、使用時に、図１（ａ）に示すように、設置面Ｓに対して立設されて、正方形の中心位置に配置された１つの棒状部材３０Ａの４つの溝部３０３Ａに、板状部材２０の第１の側縁部２０２が挿入されるとともに、正方形の頂点位置に配置された４つの棒状部材３０Ｂの溝部３０３Ｂに、板状部材２０の第２の側縁部２０３が挿入されることで、飛翔性昆虫類捕獲装置１Ａとして組み立てられて、設置面Ｓに対して粘着面２００、２０１を立設させた状態で４つの板状部材２０を支持する。なお、棒状部材３０Ａ、３０Ｂの溝部３０３Ａ、３０３Ｂに、板状部材２０の第１及び第２の側縁部２０２、２０３が挿入された際に、ネジ、ボルト、ピン、接着剤、接着テープ等の固定手段を用いるようにしてもよい。
【００４３】
そして、図１（ｂ）に示すように、５つの棒状部材３０Ａ、３０Ｂにより粘着面２００、２０１を立設させた状態で支持された４つの板状部材２０を上方から見たときに、４つの板状部材２０における第１の側縁部２０２の各々は、正方形の中心位置に配置され、４つの板状部材２０における第２の側縁部２０３の各々は、正方形の頂点位置に配置された状態、すなあち、４つの板状部材２０が十字状に配置された状態で支持されるので、隣接する板状部材２０の各々における粘着面２００、２０１が、所定の角度θ１をなすことで、凹状の狭小部分１０をそれぞれ形成する。
【００４４】
以上のように、第１の実施形態に係る飛翔性昆虫類捕獲装置１Ａによれば、支持部３としての５つの棒状部材３０Ａ、３０Ｂが、設置面Ｓに対して４つの板状部材２０の各々が両面に有する粘着面２００、２０１を立設させた状態で４つの板状部材２０を支持するので、粘着面２００、２０１の表面積を大きくすることが可能となる。
【００４５】
また、５つの棒状部材３０Ａ、３０Ｂが、隣接する板状部材２０の各々における粘着面２００、２０１同士が所定の角度θ１をなすように、４つの板状部材２０を支持するので、飛翔性昆虫類が飛来して飛翔性昆虫類捕獲装置１Ａに近寄ってきたときに、所定の角度θ１をなすように凹状に設けられた粘着面２００、２０１の狭小部分１０に入りこむことにより、粘着部２の手前で旋回しても粘着面２００、２０１に接触する可能性が高くなるため、飛翔性昆虫類を効果的に捕獲することができる。
【００４６】
また、５つの棒状部材３０Ａ、３０Ｂが、設置面Ｓに対して立設されて、４つの板状部材２０の各々における第１の側縁部２０２及び第２の側縁部２０３を支持することで、飛翔性昆虫類捕獲装置１Ａして組み立てられるので、組立が簡単であって、組立前及び分解後は、４つの板状部材２０と、５つの棒状部材３０Ａ、３０Ｂとを別々にしてコンパクトな状態で持ち運ぶことができる。
【００４７】
また、５つの棒状部材３０Ａ、３０Ｂが、粘着面２００、２０１を立設させた４つの板状部材２０の各々における下縁部２０５の少なくとも一部を設置面Ｓと離間した状態（空隙Ｇが存在する状態）で４つの板状部材２０を支持するので、空隙Ｇが風の通り道となり、風が抜けやすくなるため、耐風性を向上させることができる。
【００４８】
また、５つの棒状部材３０Ａ、３０Ｂにより粘着面２００、２０１を立設させた状態で支持された４つの板状部材２０を上方から見たときに、４つの板状部材２０における第１の側縁部２０２の各々は、正方形の中心位置に配置され、４つの板状部材２０における第２の側縁部２０３の各々は、正方形の頂点位置に配置された状態で支持されるので、飛翔性昆虫類がいずれの方位から飛翔性昆虫類捕獲装置１Ａに近寄ってきても飛翔性昆虫類を捕獲することができるとともに、飛翔性昆虫類捕獲装置１Ａを設置した際の安定性を向上させることができる。
【００４９】
（第２の実施形態）
図２は、本発明の第２の実施形態に係る飛翔性昆虫類捕獲装置１Ｂの一例を示し、（ａ）は斜視図、（ｂ）は上面図である。
【００５０】
第２の実施形態に係る飛翔性昆虫類捕獲装置１Ｂは、第１の実施形態に係る飛翔性昆虫類捕獲装置１Ａに対して、隣接する粘着部２の各々における第２の側縁部２０３側にそれぞれ取り付けられて、第２の側縁部２０３側同士を接続する接続部材２１をさらに備えるように変更したものである。なお、飛翔性昆虫類捕獲装置１Ｂのその他の基本的構成は、第１の実施形態に係る飛翔性昆虫類捕獲装置１Ａと同様であるため、説明を省略する。
【００５１】
接続部材２１は、例えば、帯状又は紐状であって所定の柔軟性を有する部材や、棒状であって所定の剛性を有する部材で構成されている。なお、接続部材２１は、例えば、人間や家畜の注意を惹きやすいような色で着色されていてもよい。
【００５２】
接続部材２１の両端部は、隣接する粘着部２の各々における第２の側縁部２０３側として、例えば、第２の側縁部２０３を支持する棒状部材３０Ｂの上端部３００及び支持端部３０２にそれぞれ取り付けられていることで、隣接する棒状部材３０Ｂの上端部３００及び支持端部３０２同士を接続する。したがって、接続部材２１は、使用時に、図２（ｂ）に示すように、飛翔性昆虫類捕獲装置１Ｂを上方から見たときに、正方形の各辺に対応する位置に配置される。
【００５３】
なお、接続部材２１は、棒状部材３０Ｂの上端部３００だけに取り付けられるようにしてもよいし、棒状部材３０Ｂに取り付ける際の高さを変更するようにしてもよい。また、接続部材２１が、所定の柔軟性を有する部材で構成されている場合には、４つの棒状部材３０Ｂの外周に沿って巻回するようにしてもよい。
【００５４】
以上のように、第２の実施形態に係る飛翔性昆虫類捕獲装置１Ｂによれば、接続部材２１が、正方形の各辺に対応する位置に配置されるので、接続部材２１よりも内側に人間や家畜が進入し、粘着面２００、２０１に誤って接触することを防止することができる。また、接続部材２１が、所定の剛性を有する部材で構成されている場合には、隣接する棒状部材３０Ｂの各々を連結するフレーム（骨格）としても機能するので、耐風性を向上させることができる。
【００５５】
（第３の実施形態）
図３は、本発明の第３の実施形態に係る飛翔性昆虫類捕獲装置１Ｃの一例を示し、（ａ）は第１の実施例を示す上面図、（ｂ）は第２の実施例を示す上面図である。
【００５６】
第３の実施形態に係る飛翔性昆虫類捕獲装置１Ｃは、第１の実施形態に係る飛翔性昆虫類捕獲装置１Ａに対して、粘着部２を、複数の板状部材２０で構成することに代えて、１つ又は４つのシート状部材２２Ａ、２２Ｂで構成するように変更するとともに、支持部３を、５つの棒状部材３０Ａ、３０Ｂで構成することに代えて、８つの棒状部材３０Ｃ、３０Ｄで構成するように変更したものである。なお、飛翔性昆虫類捕獲装置１Ｃのその他の基本的構成は、第１の実施形態に係る飛翔性昆虫類捕獲装置１Ａと同様であるため、説明を省略する。
【００５７】
１つ又は４つのシート状部材２２Ａ、２２Ｂは、板状部材２０の高さＨ１と同程度の幅を有する帯状の部材であって、例えば、ポリエチレン等の合成樹脂等の材料で製作されている。また、シート状部材２２Ａ、２２Ｂは、所定の柔軟性を有し、折り畳んだり、筒状に巻いたりした状態で持ち運びが可能である。
【００５８】
シート状部材２２Ａ、２２Ｂは、その片面に、粘着性材料が予め塗布又は散布された粘着面２２０を有し、使用前の粘着面２２０は、例えば、薄膜状の剥離シート（図示せず）で被覆されており、使用時に剥離シートが剥離されるように構成されている。なお、粘着面２２０は、粘着性材料を予め塗布又は散布するのではなく、使用直前に、粘着性材料を塗布又は散布するようにしてもよいし、粘着性材料でシート状に形成された粘着シートを貼付するようにしてもよい。
【００５９】
８つの棒状部材３０Ｃ、３０Ｄは、使用時に、図３（ａ）、（ｂ）に示すように、設置面Ｓに対して立設されて、正方形の中心位置に配置された４つの棒状部材３０Ｃと、正方形の頂点位置に配置された４つの棒状部材３０Ｄとに対して、１つ又は４つのシート状部材２２Ａ、２２Ｂを巻回させることで、１つ又は４つのシート状部材２２Ａ、２２Ｂを巻回させた部分の各々を、第１の側縁部２０２及び第２の側縁部２０３として支持する。
【００６０】
図３（ａ）に示す第１の実施例では、１つのシート状部材２２Ａが、正方形の中心位置に配置された４つの棒状部材３０Ｃと、正方形の頂点位置に配置された４つの棒状部材３０Ｄとに対して、交互に巻回されることにより設置面Ｓに対して粘着面２２０を立設させた状態で支持されることで、飛翔性昆虫類捕獲装置１Ｃとして組み立てられる。
【００６１】
図３（ｂ）に示す第１の実施例では、４つのシート状部材２２Ｂの各々が、正方形の中心位置に配置された４つの棒状部材３０Ｃと、正方形の頂点位置に配置された４つの棒状部材３０Ｄとの各組に対して、それぞれ巻回されることにより設置面Ｓに対して粘着面２２０を立設させた状態で支持されることで、飛翔性昆虫類捕獲装置１Ｃとして組み立てられる。
【００６２】
なお、図３（ａ）、（ｂ）に示す第１及び第２の実施例では、シート状部材２２Ａ、２２Ｂは、棒状部材３０Ｃ、３０Ｄの外周に沿って巻回されたものであるが、棒状部材３０Ｃ、３０Ｄが、上端部３００及び支持端部３０２の間に、シート状部材２２Ａ、２２Ｂが通過可能な長孔を備えることにより、その長孔にシート状部材２２Ａ、２２Ｂを通過させることで棒状部材３０Ｃ、３０Ｄに巻回されるようにしてもよい。その場合には、棒状部材３０Ｃが、４つの長孔を備えることにより、その１つの棒状部材３０Ｃを正方形の中心位置に配置するようにしてもよい。
【００６３】
以上のように、第３の実施形態に係る飛翔性昆虫類捕獲装置１Ｃによれば、複数の棒状部材３０Ｃ、３０Ｄが、設置面Ｓに対して立設されて、１つ又は４つのシート状部材２２Ａ、２２Ｂを巻回させることで、飛翔性昆虫類捕獲装置１Ｃとして組み立てられるので、組立が簡単であって、組立前及び分解後は、１つ又は４つのシート状部材２２Ａ、２２Ｂと、複数の棒状部材３０Ｃ、３０Ｄとを別々にしてコンパクトな状態で持ち運ぶことができる。
【００６４】
（第４の実施形態）
図４は、本発明の第４の実施形態に係る飛翔性昆虫類捕獲装置１Ｄの一例を示し、（ａ）は使用前の正面図、（ｂ）は使用時の斜視図である。
【００６５】
第４の実施形態に係る飛翔性昆虫類捕獲装置１Ｄは、第１の実施形態に係る飛翔性昆虫類捕獲装置１Ａに対して、支持部３が、複数の粘着部２である第１及び第２の粘着部２Ａ、２Ｂをそれぞれ支持する第１及び第２の支持部３Ａ、３Ｂを備え、第１及び第２の粘着部２Ａ、２Ｂと、第１及び第２の支持部３Ａ、３Ｂとを、折り曲げ可能な板状部材４で一体的に形成するように変更したものである。なお、飛翔性昆虫類捕獲装置１Ｄのその他の基本的構成は、第１の実施形態に係る飛翔性昆虫類捕獲装置１Ａと同様であるため、説明を省略する。
【００６６】
板状部材４は、折り曲げ可能な材料として、例えば、プラスチック段ボール、段ボール紙、厚紙、合成樹脂等の材料で製作されている。なお、板状部材４は、木材等の材料で製作されて、例えば、蝶番等を介して折り曲げ可能に構成してもよい。板状部材４は、例えば、幅Ｗ２が８００ｍｍ〜２０００ｍｍ程度、高さＨ５が８００ｍｍ〜２０００ｍｍ程度、厚みＴ１が１ｍｍ〜１０ｍｍ程度であるが、これらに限られない。
【００６７】
板状部材４は、図４（ａ）に示すように、第１の粘着部２Ａにおける下縁部２０５Ａと第１の支持部３Ａとが隣接して配置され、下縁部２０５Ａに沿って折り曲げられることで第１の支持部３Ａを形成する第１の折り曲げ部４０と、第２の粘着部２Ｂにおける下縁部２０５Ｂと第２の支持部３Ｂとが隣接して配置され、下縁部２０５Ｂに沿って折り曲げられることで第２の支持部３Ｂを形成する第２の折り曲げ部４１と、第１の粘着部２Ａにおける第１の側縁部２０２Ａと第２の粘着部２Ｂにおける前記第１の側縁部２０２Ｂとが隣接して配置され、第１の側縁部２０２Ａ、２０２Ｂに沿って折り曲げられることで、第１及び第２の粘着部２Ａ、２Ｂの各々における粘着面２００、２０１同士が所定の角度θ２（θ２＝９０度）をなすように、第１及び第２の粘着部２Ａ、２Ｂの各々における第２の側縁部２０３Ａ、２０３Ｂを配置する第３の折り曲げ部４２と、を備える。
【００６８】
板状部材４は、使用時に、図４（ｂ）に示すように、第１乃至第３の折り曲げ部４０〜４２が、それぞれ直角に折り曲げられることで、飛翔性昆虫類捕獲装置１Ｄとして組み立てられて、第１及び第２の支持部３Ａ、３Ｂが、設置面Ｓに対して粘着面２００、２０１を立設させた状態で第１及び第２の粘着部２Ａ、２Ｂを支持する。
【００６９】
そして、第１及び第２の支持部３Ａ、３Ｂは、設置面Ｓに対して粘着面２００、２０１を立設させた状態で第１及び第２の粘着部２Ａ、２Ｂを支持する際に、第１及び第２の粘着部２Ａ、２Ｂの各々における粘着面２００、２０１同士が所定の角度θ２をなすように、第１及び第２の粘着部２Ａ、２Ｂの各々における第２の側縁部２０３Ａ、２０３Ｂを配置した状態で支持する。すなわち、第１及び第２の支持部３Ａ、３Ｂは、第１及び第２の粘着部２Ａ、２Ｂの各々における粘着面２００、２０１が、所定の角度θ２をなすことで、凹状の狭小部分１０を形成するように、第１及び第２の粘着部２Ａ、２Ｂをそれぞれ支持する。このとき、第１及び第２の粘着部２Ａ、２Ｂは、第１及び第２の粘着部２Ａ、２Ｂを上方から見たときに、Ｌ字状に配置されている。
【００７０】
なお、第１及び第２の支持部３Ａ、３Ｂは、矩形状としたが、半円状としてもよいし、台形状としてもよい。また、第１及び第２の支持部３Ａ、３Ｂは、設置面Ｓに対してペグで固定するようにしてもよいし、第１及び第２の粘着部２Ａ、２Ｂは、第１及び第２の粘着部２Ａ、２Ｂの各々における上縁部２０４Ａ、２０４Ｂに、ロープを結束可能な貫通孔を備えることにより、設置面Ｓに対してロープとペグで固定するようにしてもよい。
【００７１】
以上のように、第４の実施形態に係る飛翔性昆虫類捕獲装置１Ｄによれば、板状部材４における第１乃至第３の折り曲げ部４０〜４２が、それぞれ折り曲げられることで、飛翔性昆虫類捕獲装置１Ｄとして組み立てられるので、組立が簡単であって、組立前及び分解後は、板状部材４として積層可能なコンパクトな状態で持ち運ぶことができる。
【００７２】
（第５の実施形態）
図５は、本発明の第５の実施形態に係る飛翔性昆虫類捕獲装置１Ｅの一例を示し、（ａ）は使用前の正面図、（ｂ）は使用時の斜視図、（ｃ）は使用時の正面図である。
【００７３】
第５の実施形態に係る飛翔性昆虫類捕獲装置１Ｅは、第４の実施形態に係る飛翔性昆虫類捕獲装置１Ｄに対して、板状部材４が、第１及び第２の折り曲げ部４０、４１として、所定の角度θ３ずつずらした状態で形成された複数の折り曲げ線４００Ａ〜４００Ｅ、４１０Ａ〜４１０Ｅを備えるように変更したものである。なお、飛翔性昆虫類捕獲装置１Ｅのその他の基本的構成は、第４の実施形態に係る飛翔性昆虫類捕獲装置１Ｄと同様であるため、説明を省略する。
【００７４】
第１及び第２の折り曲げ部４０、４１としての複数の折り曲げ線４００Ａ〜４００Ｅ、４１０Ａ〜４１０Ｅは、折り曲げ線４００Ａ〜４００Ｅ、４１０Ａ〜４１０Ｅの位置を、所定の角度θ３ずつずらした状態で、第１の粘着部２Ａにおける下縁部２０５Ａと第１の支持部３Ａとの間、又は、第２の粘着部２Ｂにおける下縁部２０５Ｂと第２の支持部３Ｂとの間にそれぞれ形成されている。複数の折り曲げ線４００Ａ〜４００Ｅ、４１０Ａ〜４１０Ｅは、飛翔性昆虫類捕獲装置１Ｅが設置される設置面Ｓの傾斜状態に応じて、折り曲げられる折り曲げ線４００Ａ〜４００Ｅ、４１０Ａ〜４１０Ｅの位置が選択可能に構成されている。
【００７５】
図３（ｂ）、（ｃ）に示すような傾斜状態の設置面Ｓに設置される場合には、その設置面Ｓの傾斜状態に応じて、折り曲げ線４００Ｃ、４１０Ｃにて折り曲げられることで、第１及び第２の支持部３Ａ、３Ｂは、設置面Ｓに対して粘着面２００、２０１を鉛直状に立設させた状態で第１及び第２の粘着部２Ａ、２Ｂを支持する。
【００７６】
なお、複数の折り曲げ線４００Ａ〜４００Ｅ、４１０Ａ〜４１０Ｅは、その数を５つとしたが、それ以外の数に変更してもよいし、所定の角度θ３ずつずらす際に、所定の角度が徐々に大きく又は小さくなるようにずらししてもよい。
【００７７】
以上のように、第５の実施形態に係る飛翔性昆虫類捕獲装置１Ｅによれば、第１及び第２の折り曲げ部４０、４１が、所定の角度ずつずらした状態で形成された複数の折り曲げ線４００Ａ〜４００Ｅ、４１０Ａ〜４１０Ｅを備えることにより、飛翔性昆虫類捕獲装置１Ｅが設置される設置面Ｓの傾斜状態に応じて、折り曲げられる折り曲げ線４００Ａ〜４００Ｅ、４１０Ａ〜４１０Ｅの位置が選択可能に構成されているので、設置面Ｓが傾斜していても、設置面Ｓに対して粘着面２００、２０１を鉛直状に立設させることができるため、飛翔性昆虫類捕獲装置１Ｅを設置した際の安定性を向上させることができる。
【００７８】
（第６の実施形態）
図６は、本発明の第５の実施形態に係る飛翔性昆虫類捕獲装置１Ｆの一例を示し、（ａ）は使用前の正面図、（ｂ）は使用時の斜視図である。
【００７９】
第６の実施形態に係る飛翔性昆虫類捕獲装置１Ｆは、第４の実施形態に係る飛翔性昆虫類捕獲装置１Ｄに対して、第１及び第２の折り曲げ部４０、４１が折り曲げられることで、第１及び第２の支持部３Ａ、３Ｂが、設置面Ｓに対して粘着面２００、２０１を立設させた状態で第１及び第２の粘着部２Ａ、２Ｂを支持する際に、第１及び第２の粘着部２Ａ、２Ｂの各々における下縁部２０５Ａ、２０５Ｂの少なくとも一部を設置面Ｓと離間した状態（幅Ｗ３及び高さＨ７からなる空隙Ｇが存在する状態）で第１及び第２の粘着部２Ａ、２Ｂを支持するように、第１及び第２の切り込み部４５、４６をさらに備えるように変更したものである。なお、飛翔性昆虫類捕獲装置１Ｆのその他の基本的構成は、第４の実施形態に係る飛翔性昆虫類捕獲装置１Ｄと同様であるため、説明を省略する。
【００８０】
第１の切り込み部４５は、第１の粘着部２Ａにおける下縁部２０５Ａ側において、第１の折り曲げ部４０から第１の粘着部２Ａ側に、例えば、コ字状に連続的に切り込まれており、第１の折り曲げ部４０が折り曲げられたときに、コ字状に切り込まれた内側部分が第１の支持部３Ａを拡大する支持拡大部３１Ａとなるとともに、幅Ｗ３及び高さＨ７の空隙Ｇを形成する。
【００８１】
第２の切り込み部４６は、第２の粘着部２Ｂにおける下縁部２０５Ｂ側において、第２の折り曲げ部４１から第１の粘着部２Ｂ側に、例えば、コ字状に連続的に切り込まれており、第２の折り曲げ部４１が折り曲げられたときに、コ字状に切り込まれた内側部分が第２の支持部３Ｂを拡大する支持拡大部３１Ｂとなるとともに、幅Ｗ３及び高さＨ７の空隙Ｇを形成する。
【００８２】
以上のように、第６の実施形態に係る飛翔性昆虫類捕獲装置１Ｆによれば、第１及び第２の切り込み部４５、４６が、第１及び第２の粘着部２Ａ、２Ｂの各々における下縁部２０５Ａ、２０５Ｂ側に設けられていることにより、第１及び第２の折り曲げ部４０、４１が折り曲げられたときに、第１及び第２の粘着部２Ａ、２Ｂの各々における下縁部２０５Ａ、２０５Ｂの少なくとも一部を設置面Ｓと離間した状態（幅Ｗ３及び高さＨ７からなる空隙Ｇが存在する状態）で第１及び第２の粘着部２Ａ、２Ｂを支持するので、空隙Ｇが風の通り道となり、風が抜けやすくなるため、耐風性を向上させることができる。また、第１及び第２の折り曲げ部４０、４１が折り曲げられたときに、支持拡大部３１Ａ、３１Ｂが、第１及び第２の支持部３Ａ、３Ｂの面積を拡大するので、飛翔性昆虫類捕獲装置１Ｆを設置した際の安定性を向上させることができる。
【００８３】
（第７の実施形態）
図７は、本発明の第７の実施形態に係る飛翔性昆虫類捕獲装置１Ｇの一例を示し、（ａ）は使用前の正面図、（ｂ）は差し込み前の斜視図、（ｃ）は使用時の斜視図である。
【００８４】
第７の実施形態に係る飛翔性昆虫類捕獲装置１Ｇは、第４の実施形態に係る飛翔性昆虫類捕獲装置１Ｄに対して、支持部３が、複数の粘着部２である第１及び第２の粘着部２Ａ、２Ｂをそれぞれ支持する第１及び第２の支持部３Ａ、３Ｂと、複数の粘着部２である第３及び第４の粘着部２Ｃ、２Ｄをそれぞれ支持する第１及び第２の支持部３Ｃ、３Ｄと、を備え、第１及び第２の粘着部２Ａ、２Ｂと、第１及び第２の支持部３Ａ、３Ｂとを、折り曲げ可能な第１の板状部材４Ａで一体的に形成し、第３及び第４の粘着部２Ｃ、２Ｄと、第３及び第４の支持部３Ｃ、３Ｄとを、折り曲げ可能な第２の板状部材４Ｂで一体的に形成するように変更したものである。なお、飛翔性昆虫類捕獲装置１Ｇのその他の基本的構成は、第４の実施形態に係る飛翔性昆虫類捕獲装置１Ｄと同様であるため、説明を省略する。
【００８５】
第１の板状部材４Ａは、図７（ａ）に示すように、第１の粘着部２Ａにおける下縁部２０５Ａと第１の支持部３Ａとが隣接して配置され、下縁部２０５Ａに沿って折り曲げられることで第１の支持部３Ａを形成する第１の折り曲げ部４０と、第２の粘着部２Ｂにおける下縁部２０５Ｂと第２の支持部３Ｂとが隣接して配置され、下縁部２０５Ｂに沿って折り曲げられることで第２の支持部３Ｂを形成する第２の折り曲げ部４１と、第１の粘着部２Ａにおける第１の側縁部２０２Ａと第２の粘着部２Ｂにおける第１の側縁部２０２Ａとが隣接して配置され、第１の側縁部２０２Ａ、２０２Ｂに沿って下縁部２０５Ａ、２０５Ｂから上縁部２０４Ａ、２０４Ｂに向かって設けられた第１の差し込み部４４Ａと、を備える。
【００８６】
第２の板状部材４Ｂは、図７（ａ）に示すように、第３の粘着部２Ｃにおける下縁部２０５Ｃと第３の支持部３Ｃとが隣接して配置され、下縁部２０５Ｃに沿って折り曲げられることで第３の支持部３Ｃを形成する第３の折り曲げ部４２と、第４の粘着部２Ｄにおける下縁部２０５Ｄと第４の支持部３Ｄとが隣接して配置され、下縁部２０５Ｄに沿って折り曲げられることで第４の支持部３Ｄを形成する第４の折り曲げ部４３と、第３の粘着部２Ｃにおける第１の側縁部２０２Ｃと第４の粘着部２Ｄにおける第１の側縁部２０２Ｄとが隣接して配置され、第１の側縁部２０２Ｃ、２０２Ｄに沿って上縁部２０４Ｃ、２０４Ｄから下縁部２０５Ｃ、２０５Ｄに向かって設けられた第２の差し込み部４４Ｂと、を備える。
【００８７】
第１及び第２の板状部材４Ａ、４Ｂは、使用時に、図７（ｂ）、（ｃ）に示すように、第１乃至第４の折り曲げ部４０〜４３がそれぞれ直角に折り曲げられるとともに、第１の差し込み部４４Ａと、第２の差し込み部４４Ｂとが差し込まれることで、飛翔性昆虫類捕獲装置１Ｇとして組み立てられて、第１乃至第４の支持部３Ａ〜３Ｄが、設置面Ｓに対して粘着面２００Ａ〜２００Ｄ、２０１Ａ〜２０１Ｄを立設させた状態で第１及び第４の粘着部２Ａ〜２Ｄを支持する。
【００８８】
そして、第１乃至第４の支持部３Ａ〜３Ｄは、設置面Ｓに対して粘着面２００Ａ〜２００Ｄ、２０１Ａ〜２０１Ｄを立設させた状態で第１及び第４の粘着部２Ａ〜２Ｄを支持する際に、隣接する第１及び第４の粘着部２Ａ〜２Ｄの各々における粘着面２００Ａ〜２００Ｄ、２０１Ａ〜２０１Ｄ同士が所定の角度θ４（θ４＝９０度）をなすように、第１乃至第４の粘着部２Ａ〜２Ｄの各々における第２の側縁部２０３Ａ〜２０２Ｄを配置した状態で支持する。すなわち、第１乃至第４の支持部３Ａ〜３Ｄは、隣接する第１乃至第４の粘着部２Ａ〜２Ｄの各々における粘着面２００Ａ〜２００Ｄ、２０１Ａ〜２０１Ｄが、所定の角度θ４をなすことで、凹状の狭小部分１０をそれぞれ形成するように、第１乃至第４の粘着部２Ａ〜２Ｄをそれぞれ支持する。このとき、第１及び第４の粘着部２Ａ〜２Ｄは、第１及び第４の粘着部２Ａ〜２Ｄを上方から見たときに、十字状に配置されている。
【００８９】
以上のように、第７の実施形態に係る飛翔性昆虫類捕獲装置１Ｇによれば、第１及び第２の板状部材４Ａ、４Ｂにおける第１乃至第４の折り曲げ部４０〜４３がそれぞれ折り曲げられるとともに、第１の差し込み部４４Ａと、第２の差し込み部４４Ｂとが差し込まれることで、飛翔性昆虫類捕獲装置１Ｇとして組み立てられるので、組立が簡単であって、組立前及び分解後は、第１及び第２の板状部材４Ａ、４Ｂとして積層可能なコンパクトな状態で持ち運ぶことができる。
【００９０】
また、第１乃至第４の支持部３Ａ〜３Ｄにより粘着面２００Ａ〜２００Ｄ、２０１Ａ〜２０１Ｄを立設させた状態で支持された第１乃至第４の粘着部２Ａ〜２Ｄを上方から見たときに、第１乃至第４の粘着部２Ａ〜２Ｄにおける第１の側縁部２０２Ａ〜２０２Ｄの各々は、正方形の中心位置に配置され、第１乃至第４の粘着部２Ａ〜２Ｄにおける第２の側縁部２０３Ａ〜２０３Ｄの各々は、正方形の頂点位置に配置された状態で支持されるので、飛翔性昆虫類がいずれの方位から飛翔性昆虫類捕獲装置１Ｇに近寄ってきても飛翔性昆虫類を捕獲することができるとともに、飛翔性昆虫類捕獲装置１Ｇを設置した際の安定性を向上させることができる。
【００９１】
（第８の実施形態）
図８は、本発明の第８の実施形態に係る飛翔性昆虫類捕獲装置１Ｈの一例を示し、（ａ）は使用前の正面図、（ｂ）は差し込み前の斜視図、（ｃ）は使用時の斜視図である。
【００９２】
第８の実施形態に係る飛翔性昆虫類捕獲装置１Ｈは、第７の実施形態に係る飛翔性昆虫類捕獲装置１Ｇに対して、支持部３が、複数の粘着部２である一対の第１及び第２の粘着部２Ａ、２Ｂをそれぞれ支持する一対の第１乃至第４の支持部３Ａ〜３Ｄを備え、一対の第１及び第２の粘着部２Ａ、２Ｂと、一対の第１乃至第４の支持部３Ａ〜３Ｄとを、折り曲げ可能な一対の板状部材４Ａ、４Ｂで一体的に形成するように変更したものである。なお、飛翔性昆虫類捕獲装置１Ｈのその他の基本的構成は、第７の実施形態に係る飛翔性昆虫類捕獲装置１Ｇと同様であるため、説明を省略する。
【００９３】
一対の板状部材４Ａ、４Ｂは、同一の形状であり、図８（ａ）では、板状部材４Ｂは、板状部材４Ａを紙面上で１８０度回転したものとして図示されている。
【００９４】
一対の板状部材４Ａ、４Ｂの各々は、図８（ａ）に示すように、第１の粘着部２Ａにおける下縁部２０５Ａと第１の支持部３Ａとが隣接して配置され、下縁部２０５Ａに沿って折り曲げられることで第１の支持部３Ａを形成する第１の折り曲げ部４０Ａ、４０Ｂと、第２の粘着部２Ｂにおける下縁部２０５Ｂと第２の支持部３Ｂとが隣接して配置され、下縁部２０５Ｂに沿って折り曲げられることで第２の支持部３Ｂを形成する第２の折り曲げ部４１Ａ、４１Ｂと、第１の粘着部２Ａにおける上縁部２０４Ａと第３の支持部３Ｃとが隣接して配置され、上縁部２０４Ａに沿って折り曲げられることで第３の支持部３Ｃを形成する第３の折り曲げ部４２Ａ、４２Ｂと、第２の粘着部２Ｂにおける上縁部２０４Ｂと第４の支持部３Ｄとが隣接して配置され、上縁部２０４Ｂに沿って折り曲げられることで第４の支持部３Ｄを形成する第４の折り曲げ部４３Ａ、４３Ｂと、第１の粘着部２Ａにおける第１の側縁部２０２Ａと第２の粘着部２Ｂにおける第１の側縁部２０２Ｂとが隣接して配置され、第１の側縁部２０２Ａ、２０２Ｂに沿って下縁部２０５Ａ、２０５Ｂから上縁部２０４Ａ、２０４Ｂに向かって設けられた差し込み部４４Ａ、４４Ｂと、を備える。
【００９５】
一対の板状部材４Ａ、４Ｂの各々は、使用時に、図８（ｂ）、（ｃ）に示すように、一対の板状部材４Ａ、４Ｂのうち一方の板状部材４Ａにおける第１及び第２の折り曲げ部４０Ａ、４１Ａと、一対の板状部材４Ａ、４Ｂのうち他方の板状部材４Ｂにおける第３及び第４の折り曲げ部４２Ｂ、４３Ｂとが直角にそれぞれ折り曲げられるとともに、一対の板状部材４Ａ、４Ｂの各々における差し込み部４４Ａ、４４Ｂ同士が差し込まれることで、飛翔性昆虫類捕獲装置１Ｈとして組み立てられて、一方の板状部材４Ａにおける第１及び第２の支持部３Ａ、３Ｂと、他方の板状部材４Ｂにおける第３及び第４の支持部３Ｃ、３Ｄとが、設置面Ｓに対して粘着面２００、２０１を立設させた状態で一対の第１及び第２の粘着部２Ａ、２Ｂを支持する。
【００９６】
そして、第１乃至第４の支持部３Ａ〜３Ｄは、設置面Ｓに対して粘着面２００、２０１を立設させた状態で一対の第１及び第２の粘着部２Ａ、２Ｂを支持する際に、隣接する一対の第１及び第２の粘着部２Ａ、２Ｂの各々における粘着面２００、２０１同士が所定の角度θ４（θ４＝９０度）をなすように、一対の第１及び第２の粘着部２Ａ、２Ｂの各々における第２の側縁部２０３Ａ、２０３Ｂを配置した状態で支持する。すなわち、第１乃至第４の支持部３Ａ〜３Ｄは、隣接する一対の第１及び第２の粘着部２Ａ、２Ｂの各々における粘着面２００、２０１が、所定の角度θ４をなすことで、凹状の狭小部分１０をそれぞれ形成するように、一対の第１及び第２の粘着部２Ａ、２Ｂをそれぞれ支持する。このとき、一対の第１及び第２の粘着部２Ａ、２Ｂは、一対の第１及び第２の粘着部２Ａ、２Ｂを上方から見たときに、十字状に配置されている。
【００９７】
以上のように、第８の実施形態に係る飛翔性昆虫類捕獲装置１Ｈによれば、一対の板状部材４Ａ、４Ｂの一方の第１及び第２の折り曲げ部４０Ａ、４１Ａと、一対の板状部材４Ａ、４Ｂの他方の第３及び第４の折り曲げ部４２Ｂ、４３Ｂとがそれぞれ折り曲げられるとともに、一対の板状部材４Ａ、４Ｂの各々における差し込み部４４Ａ、４４Ｂ同士が差し込まれることで、飛翔性昆虫類捕獲装置１Ｈとして組み立てられるので、組立が簡単であって、組立前及び分解後は、一対の板状部材４Ａ、４Ｂとして積層可能なコンパクトな状態で持ち運ぶことができる。また、一対の板状部材４Ａ、４Ｂは、同一の形状であるので、部材の点数を減らすことができる。
【００９８】
（第９の実施形態）
図９は、本発明の第９の実施形態に係る飛翔性昆虫類捕獲装置１Ｊの一例を示し、（ａ）は使用前の正面図、（ｂ）は差し込み前の斜視図、（ｃ）は使用時の斜視図である。
【００９９】
第９の実施形態に係る飛翔性昆虫類捕獲装置１Ｊは、第７の実施形態に係る飛翔性昆虫類捕獲装置１Ｇに対して、第１の板状部材４Ａから第１及び第２の支持部３Ａ、３Ｂを省略し、第２の板状部材４Ｂから第３及び第４の支持部３Ｃ、３Ｄを省略するように変更するともに、第１の板状部材４Ａで一体的に形成された第１及び第２の粘着部２Ａ、２Ｂと、第２の板状部材４Ｂで一体的に形成された第３及び第４の粘着部２Ｃ、２Ｄとを、第１の実施形態に係る飛翔性昆虫類捕獲装置１Ａと同様の第１乃至第４の棒状部材３０で支持するように変更したものである。また、第９の実施形態に係る飛翔性昆虫類捕獲装置１Ｊは、第１の実施形態に係る飛翔性昆虫類捕獲装置１Ａに対して、粘着面２００Ａ〜２００Ｄ、２０１Ａ〜２０１Ｄの配色を変更したものである。なお、飛翔性昆虫類捕獲装置１Ｊのその他の基本的構成は、第１の実施形態に係る飛翔性昆虫類捕獲装置１Ａ及び第７の実施形態に係る飛翔性昆虫類捕獲装置１Ｇと同様であるため、説明を省略する。
【０１００】
第１の板状部材４Ａは、図９（ａ）に示すように、第１の粘着部２Ａにおける第１の側縁部２０２Ａと第２の粘着部２Ｂにおける第１の側縁部２０２Ｂとが隣接して配置され、第１の側縁部２０２Ａ、２０２Ｂに沿って下縁部２０５Ａ、２０５Ｂから上縁部２０４Ａ、２０４Ｂに向かって設けられた第１の差し込み部４４Ａを備える。
【０１０１】
第２の板状部材４Ｂは、図９（ａ）に示すように、第３の粘着部２Ｃにおける第１の側縁部２０２Ｃと第４の粘着部２Ｄにおける第１の側縁部２０２Ｄとが隣接して配置され、第１の側縁部２０２Ｃ、２０２Ｄに沿って上縁部２０４Ｃ、２０４Ｄから下縁部２０５Ｃ、２０５Ｄに向かって設けられた第２の差し込み部４４Ｂを備える。
【０１０２】
なお、本実施形態では、第１及び第２の板状部材４Ａ、４Ｂは、同一の形状とし、図９（ａ）では、第２の板状部材４Ｂは、第１の板状部材４Ａを紙面上で１８０度回転したものとして図示されている。
【０１０３】
また、第１乃至第４の粘着部２Ａ〜２Ｄの各々は、第１の側縁部２０２Ａ〜２０２Ｄと第２の側縁部２０３Ａ〜２０３Ｄとの間で粘着面２００Ａ〜２００Ｄ、２０１Ａ〜２０１Ｄの色を切り替える色切替部２０６Ａ〜２０６Ｄを備える。
【０１０４】
色切替部２０６Ａ〜２０６Ｄは、第１の側縁部２０２Ａ〜２０２Ｄと、第２の側縁部２０３Ａ〜２０３Ｄとの間を、所定の比（例えば、１：２）で色分けする。粘着面２００Ａ〜２００Ｄ、２０１Ａ〜２０１Ｄのうち色切替部２０６Ａ〜２０６Ｄよりも第１の側縁部２０２Ａ〜２０２Ｄ側（内側）の粘着面２００Ａ〜２００Ｄ、２０１Ａ〜２０１Ｄは、第１の色２０８Ａで着色され、粘着面２００Ａ〜２００Ｄ、２０１Ａ〜２０１Ｄのうち色切替部２０６Ａ〜２０６Ｄよりも第２の側縁部２０３Ａ〜２０３Ｄ側（外側）の粘着面２００Ａ〜２００Ｄ、２０１Ａ〜２０１Ｄは、第２の色２０８Ｂで着色されている。すなわち、粘着面２００Ａ〜２００Ｄ、２０１Ａ〜２０１Ｄは、その全体の１／３に相当する内側部分が第１の色２０８Ａで着色され、その全体の２／３に相当する外側部分が、第２の色２０８Ｂで着色されている。
【０１０５】
第１の色２０８Ａは、例えば、黒色系（例えば、黒色、濃灰色等）である。第２の色２０８Ｂは、第１の色２０８Ａと異なる色であり、例えば、青色系（例えば、青色、水色、空色、紺色等）である。
【０１０６】
なお、色切替部２０６Ａ〜２０６Ｄが色分けする際の所定の比は、適宜変更してもよい。また、色切替部２０６Ａ〜２０６Ｄは、直線としたが、粘着面２００Ａ〜２００Ｄ、２０１Ａ〜２０１Ｄの色を切り替えるものであれば任意の形状でよく、曲線でもよいし、屈曲していてもよい。さらに、色切替部２０６Ａ〜２０６Ｄは、省略してもよく、その場合には、粘着面２００Ａ〜２００Ｄ、２０１Ａ〜２０１Ｄの全体が、例えば、青色系で着色されることで、第２の側縁部２０３Ａ〜２０３Ｄ側の隅部が、青色系で着色されるようにしてもよい。
【０１０７】
第１及び第２の板状部材４Ａ、４Ｂは、使用時に、図９（ｂ）、（ｃ）に示すように、第１の差し込み部４４Ａと、第２の差し込み部４４Ｂとが差し込まれる。そして、第１乃至第４の棒状部材３０は、図９（ｃ）に示すように、第１の差し込み部４４Ａと第２の差し込み部４４Ｂとが差し込まれた状態の第１及び第２の板状部材４Ａ、４Ｂを支持する際に、設置面Ｓに対して立設されて、第１乃至第４の粘着部２Ａ〜２Ｄの各々における第２の側縁部２０３Ａ〜２０３Ｄを支持することで、飛翔性昆虫類捕獲装置１Ｊとして組み立てられる。なお、第１乃至第４の棒状部材３０は、第２の側縁部２０３Ａ〜２０３Ｄを支持する際に、任意の方法で支持すればよく、例えば、図１（ｄ）に示す棒状部材３０Ｂの溝部３０３Ｂを備えるようにしてもよいし、溝部３０３Ｂを備えずに、例えば、ロープ、結束バンド、接着テープ等の固定手段を用いるようにしてもよい。
【０１０８】
図９（ｃ）に示すように、使用時における第１乃至第４の粘着部２Ａ〜２Ｄは、第１乃至第４の粘着部２Ａ〜２Ｄを上方から見たときに、十字状に配置される。そして、十字状に配置された第１乃至第４の粘着部２Ａ〜２Ｄにおいて、色切替部２０６Ａ〜２０６Ｄよりも第１の側縁部２０２Ａ〜２０２Ｄ側（内側）の粘着面２００Ａ〜２００Ｄ、２０１Ａ〜２０１Ｄは、第１の色２０８Ａで着色され、色切替部２０６Ａ〜２０６Ｄよりも第２の側縁部２０３Ａ〜２０３Ｄ側（外側）の粘着面２００Ａ〜２００Ｄ、２０１Ａ〜２０１Ｄは、第２の色２０８Ｂで着色されている。
【０１０９】
（飛翔性昆虫類捕獲装置の色について）
本実施形態に係る飛翔性昆虫類捕獲装置１Ｊにおいて、粘着面２００Ａ〜２００Ｄ、２０１Ａ〜２０１Ｄの色と、飛翔性昆虫類の捕獲数との間の関係を検証するため、下記の実験を行った。
【０１１０】
まず、下記の表１の実施例１〜７及び比較例で示すように、第１の色２０８Ａ（内側）と、第２の色２０８Ｂ（外側）をそれぞれ着色した複数の飛翔性昆虫類捕獲装置を用意した。本実験に係る複数の飛翔性昆虫類捕獲装置は、図９に示すように、本実施形態に係る飛翔性昆虫類捕獲装置１Ｊと同様の形状とし、第１及び第２の板状部材４Ａ、４Ｂの大きさは、幅Ｗ２０を１８００ｍｍ、高さＨ２０を９００ｍｍとした。また、本実験に係る複数の飛翔性昆虫類捕獲装置の上方には、炭酸ガス発生手段としてドライアイスを設置した。
【０１１１】
本実験では、飛翔性昆虫類のうち、ブユを捕獲の対象とし、本実験に係る複数の飛翔性昆虫類捕獲装置を、屋外に５．５ｍ間隔で設置し、４１時間経過時のブユの捕獲数を計数した。
【０１１２】
【表１】
2020048545.tif 000003
【０１１３】
本実験に係る複数の飛翔性昆虫類捕獲装置を設置し、ブユの捕獲数を計数した結果は、表１に示すとおりである。まず、第２の色２０８Ｂ（外側）が青色で着色されている場合（実施例１、実施例６）、ブユの捕獲数が多くなることが分かった。特に、第２の色２０８Ｂ（外側）が青色で着色されている場合、粘着面２００Ａ〜２００Ｄ、２０１Ａ〜２０１Ｄのうち第２の側縁部２０３Ａ〜２０３Ｄ側の隅部に、ブユが集中して捕獲されていることが分かった。
【０１１４】
また、粘着面２００Ａ〜２００Ｄ、２０１Ａ〜２０１Ｄが色切替部２０６Ａ〜２０６Ｄにより色分けされている実施例１〜５について比較すると、第１の色２０８Ａ（内側）が青色、第２の色２０８Ｂ（外側）が黒色で着色されている場合（実施例２）に比べて、第１の色２０８Ａ（内側）が黒色、第２の色２０８Ｂ（外側）が青色で着色されている場合（実施例１）の方が、ブユの捕獲数が多いことが分かった。さらに、第１の色２０８Ａ（内側）が、空色（実施例３）、水色（実施例４）、青色（実施例２）、銀色（実施例５）の順番でブユの捕獲数が多いことが分かった。
【０１１５】
また、粘着面２００Ａ〜２００Ｄ、２０１Ａ〜２０１Ｄが色切替部２０６Ａ〜２０６Ｄにより色分けされていない実施例６、７について比較すると、粘着面２００Ａ〜２００Ｄ、２０１Ａ〜２０１Ｄが黒色で着色されている場合（実施例７）に比べて、粘着面２００Ａ〜２００Ｄ、２０１Ａ〜２０１Ｄが青色で着色されている場合（実施例６）の方が、ブユの捕獲数が多いことが分かった。
【０１１６】
上記実験において捕獲の対象としたブユは、他の飛翔性昆虫類と異なり、夏の時期だけでなく気温が比較的低い秋から春にかけても活動することから、１年を通して被害をもたらす害虫である。しかしながら、虫除けスプレー等の忌避剤を用いた場合、ブユに対する忌避効果は、他の飛翔性昆虫類に対する忌避効果に比べて高くない。また、ブユを捕獲、駆除するための捕獲装置について、これまで十分に検討がなされていなかった。ここで、表１に示すように、上記実験の結果であるブユの捕獲数を参照すると、本実施形態に係る飛翔性昆虫類捕獲装置１Ｊは、このようなブユを効果的に捕獲することができることが分かった。
【０１１７】
以上のように、第９の実施形態に係る飛翔性昆虫類捕獲装置１Ｊによれば、第１乃至第４の棒状部材３０が、設置面Ｓに対して立設されて、第１乃至第４の粘着部２Ａ〜２Ｄの各々における第２の側縁部２０３Ａ〜２０３Ｄを支持することで、飛翔性昆虫類捕獲装置１Ｊとして組み立てられるので、組立が簡単であって、組立前及び分解後は、第１及び第２の板状部材４Ａ、４Ｂとして積層可能なコンパクトな状態で持ち運ぶことができる。また、第１及び第２の板状部材４Ａ、４Ｂは、同一の形状とすることにより、部材の点数を減らすことができる。
【０１１８】
また、第９の実施形態に係る飛翔性昆虫類捕獲装置１Ｊによれば、粘着面２００Ａ〜２００Ｄ、２０１Ａ〜２０１Ｄのうち第２の側縁部２０３Ａ〜２０３Ｄ側の隅部が、青色系で着色されているため、飛翔性昆虫類（特にブユ）を効果的に捕獲することができる。
【０１１９】
また、第９の実施形態に係る飛翔性昆虫類捕獲装置１Ｊによれば、第１乃至第４の粘着部２Ａ〜２Ｄの各々は、色切替部２０６Ａ〜２０６Ｄを備え、粘着面２００Ａ〜２００Ｄ、２０１Ａ〜２０１Ｄのうち色切替部２０６Ａ〜２０６Ｄよりも第２の側縁部２０３Ａ〜２０３Ｄ側は、青色系で着色され、粘着面２００Ａ〜２００Ｄ、２０１Ａ〜２０１Ｄのうち色切替部２０６Ａ〜２０６Ｄよりも第１の側縁部２０２Ａ〜２０２Ｄ側は、黒色系で着色されているため、飛翔性昆虫類（特にブユ）を効果的に捕獲することができる。
【０１２０】
（第１０の実施形態）
図１０は、本発明の第１０の実施形態に係る飛翔性昆虫類捕獲装置１Ｋの一例を示し、（ａ）は使用前の正面図、（ｂ）は差し込み前の斜視図、（ｃ）は使用時の斜視図である。
【０１２１】
第１０の実施形態に係る飛翔性昆虫類捕獲装置１Ｋは、第９の実施形態に係る飛翔性昆虫類捕獲装置１Ｊに対して、第１乃至第４の粘着部２Ａ〜２Ｄの各々が、粘着面２００Ａ〜２００Ｄ、２０１Ａ〜２０１Ｄのうち第１の側縁部２０２Ａ〜２０２Ｄ側かつ上縁部２０４Ａ〜２０４Ｄ側の隅部２０９Ａ〜２０９Ｄが下縁部２０５Ａ〜２０５Ｄ側に直角に折り曲げられる第５の折り曲げ部４７Ａ〜４７Ｄを備えるように変更したものである。なお、飛翔性昆虫類捕獲装置１Ｋのその他の基本的構成は、第９の実施形態に係る飛翔性昆虫類捕獲装置１Ｊと同様であるため、説明を省略する。
【０１２２】
第５の折り曲げ部４７Ａ〜４７Ｄは、隅部２０９Ａ〜２０９Ｄが下縁部２０５Ａ〜２０５Ｄ側に直角に折りそれぞれ曲げられることで、炭酸ガス発生手段５を設置する設置部４８を形成する。炭酸ガス発生手段５は、炭酸ガスを発生させるものであればよく、例えば、ドライアイスや、炭酸カルシウムと水を化学反応させて、炭酸ガス（二酸化炭素）を発生させる装置等である。
【０１２３】
第１及び第２の板状部材４Ａ、４Ｂは、使用時に、図１０（ｂ）、（ｃ）に示すように、第１の差し込み部４４Ａと、第２の差し込み部４４Ｂとが差し込まれるとともに、第５の折り曲げ部４７Ａ〜４７Ｄが下縁部２０５Ａ〜２０５Ｄ側に直角にそれぞれ折り曲げられることで、隅部２０９Ａ〜２０９Ｄが一体的な設置面となって、設置部４８を形成する。そして、第１乃至第４の棒状部材３０は、図１０（ｃ）に示すように、第１の差し込み部４４Ａと第２の差し込み部４４Ｂとが差し込まれた状態の第１及び第２の板状部材４Ａ、４Ｂを支持する際に、設置面Ｓに対して立設されて、第１乃至第４の粘着部２Ａ〜２Ｄの各々における第２の側縁部２０３Ａ〜２０３Ｄを支持することで、飛翔性昆虫類捕獲装置１Ｋとして組み立てられる。そして、炭酸ガス発生手段５が、隅部２０９Ａ〜２０９Ｄにより形成された設置部４８に設置される。なお、設置部４８となる隅部２０９Ａ〜２０９Ｄには、粘着層が形成されていなくてもよい。
【０１２４】
以上のように、第１０の実施形態に係る飛翔性昆虫類捕獲装置１Ｋによれば、第１及び第２の板状部材４Ａ、４Ｂにおける第５の折り曲げ部４７がそれぞれ折り曲げられることで設置部４８を形成するので、設置部４８に設置された炭酸ガス発生手段５が発生した炭酸ガスが、隣接する第１及び第４の粘着部２Ａ〜２Ｄの各々における粘着面２００Ａ〜２００Ｄ、２０１Ａ〜２０１Ｄの間に均一に拡散するため、飛翔性昆虫類（特にブユ）を効果的に捕獲することができる。
【０１２５】
（他の実施形態）
以上、本発明の実施形態について説明したが、本発明は上記実施形態に限定されるものではなく、本発明の技術的思想を逸脱しない範囲で適宜変更可能である。
【０１２６】
上記第１乃至第３の実施形態に係る飛翔性昆虫類捕獲装置１Ａ〜１Ｃにおいて、４つの粘着部２における第１の側縁部２０２の各々が、正方形の中心位置に配置され、４つの粘着部２における第２の側縁部２０３の各々が、正方形の頂点位置に配置されることで、隣接する粘着部２の各々における粘着面２００、２０１同士が所定の角度θ１（θ１＝９０度）をなすものであるが、粘着部２の数（例えば、３以上の整数）を変更するとともに、複数の粘着部２を、粘着部２の数に応じた正多角形の各頂点及び中心に対応する位置に配置してもよい。例えば、粘着部２を３つとし、３つの粘着部２における第１の側縁部２０２の各々を、正三角形の中心位置に配置し、３つの粘着部２における第２の側縁部２０３の各々を、正三角形の頂点位置に配置することで、隣接する粘着部２の各々における粘着面２００、２０１同士が所定の角度θ（θ＝１２０度）をなすものでもよい。また、粘着部２を６つとし、６つの粘着部２における第１の側縁部２０２の各々を、正六角形の中心位置に配置し、６つの粘着部２における第２の側縁部２０３の各々を、正六角形の頂点位置に配置することで、隣接する粘着部２の各々における粘着面２００、２０１同士が所定の角度θ（θ＝６０度）をなすものでもよい。
【０１２７】
また、上記第１乃至第３、第９及び第１０の実施形態に係る飛翔性昆虫類捕獲装置１Ａ〜１Ｃ、１Ｊ、１Ｋにおいて、４つの粘着部２は、正方形の各頂点及び中心に対応する位置に配置されたものであるが、４つの粘着部２を、正方形に代えて、平行四辺形や菱形、台形等、任意の四辺形の各頂点及び中心に対応する位置に配置するようにしてもよい。
【０１２８】
また、上記第１乃至第３の実施形態に係る飛翔性昆虫類捕獲装置１Ａ〜１Ｃにおいて、支持部３は、粘着面２００、２０１を立設させた４つの粘着部２の各々における下縁部２０５の少なくとも一部を設置面Ｓと離間した状態（幅Ｗ１及び高さＨ３からなる空隙Ｇが存在する状態）で４つの粘着部２を支持するものであるが、支持部３が、４つの板状部材２０の各々における下縁部２０５を設置面Ｓと離間していない状態（空隙Ｇが存在しない状態）で４つの板状部材２０を支持するようにしてもよい。
【０１２９】
また、上記第９及び第１０の実施形態に係る飛翔性昆虫類捕獲装置１Ｊ、１Ｋにおいて、支持部３としての第１乃至第４の棒状部材３０は、粘着面２００、２０１を立設させた第１乃至第４の粘着部２Ａ〜２Ｄの各々における下縁部２０５Ａ〜２０５Ｄを設置面Ｓと離間していない状態（空隙Ｇが存在しない状態）で第１及び第２の板状部材４Ａ、４Ｂを支持するものであるが、第１乃至第４の棒状部材３０が、第１乃至第４の粘着部２Ａ〜２Ｄの各々における下縁部２０５Ａ〜２０５Ｄを設置面Ｓと離間した状態（空隙Ｇが存在する状態）で第１及び第２の板状部材４Ａ、４Ｂを支持するようにしてもよい。
【０１３０】
また、上記第１乃至第２、第９及び第１０の実施形態に係る飛翔性昆虫類捕獲装置１Ａ、１Ｂ、１Ｊ、１Ｋにおいて、粘着部２に対して垂直に交差するとともに上下方向に配置された板状の返し部材を備えるようにしてもよい。飛翔性昆虫類捕獲装置１Ａ、１Ｂ、１Ｊ、１Ｋが、返し部材を備えることにより、凹状に設けられた粘着面２００、２０１の狭小部分１０に入りこんだ飛翔性昆虫類を逃がすことなく確実に捕獲することができる。返し部材は、例えば、粘着部２の高さＨ１と同程度の高さで、粘着部２の幅Ｗ１の２／３程度の幅を有する矩形状であり、返し部材の幅方向の中心線が第２の側縁部２０３に沿って上下方向に配置されてもよいし、第２の側縁部２０３から粘着部２の幅Ｗ１の１／３程度の内側の位置に沿って上下方向に配置されてもよい。また、返し部材には、粘着面が形成されていてもよい。
【０１３１】
また、上記第１乃至第１０の実施形態に係る飛翔性昆虫類捕獲装置１Ａ〜１Ｋにおいて、複数の粘着部２及び支持部３の外形寸法（幅、高さ、厚み等）や形状を適宜変更するようにしてもよい。
【０１３２】
また、上記第２の実施形態に係る飛翔性昆虫類捕獲装置１Ｂは、接続部材２１を備えたものであるが、第４乃至第１０の実施形態に係る飛翔性昆虫類捕獲装置１Ｄ〜１Ｋが、接続部材２１を備えるようにしてもよい。
【０１３３】
また、上記第１乃至第８の実施形態に係る飛翔性昆虫類捕獲装置１Ａ〜１Ｈに、例えば、ドライアイスや、炭酸カルシウムと水を化学反応させて炭酸ガスを発生させる装置等のような炭酸ガス発生手段を備えるようにしてもよい。その際、飛翔性昆虫類捕獲装置１Ａ〜１Ｈは、第１０の実施形態に係る飛翔性昆虫類捕獲装置１Ｋと同様の設置部４８を備えるようにしてもよい。
【符号の説明】
【０１３４】
１Ａ〜１Ｈ…飛翔性昆虫類捕獲装置、
２…粘着部、２Ａ…第１の粘着部、２Ｂ…第２の粘着部、
２Ｃ…第３の粘着部、２Ｄ…第４の粘着部、
３…支持部、３Ａ…第１の支持部、３Ｂ…第２の支持部、
３Ｃ…第３の支持部、３Ｄ…第４の支持部、
４、４Ａ、４Ｂ…板状部材、４Ａ…第１の板状部材、４Ｂ…第２の板状部材、
５…炭酸ガス発生手段、１０…狭小部分、
２０…板状部材、２１…接続部材、２２Ａ、２２Ｂ…シート状部材、
３０、３０Ａ〜３０Ｄ…棒状部材、３１Ａ、３１Ｂ…支持拡大部、
４０、４０Ａ、４０Ｂ…第１の折り曲げ部、
４１、４１Ａ、４１Ｂ…第２の折り曲げ部、
４２、４２Ａ、４２Ｂ…第３の折り曲げ部、
４３、４３Ａ、４３Ｂ…第４の折り曲げ部、
４４Ａ、４４Ｂ…差し込み部、
４４Ａ…第１の差し込み部、４４Ｂ…第２の差し込み部
４５…第１の切り込み部、４６…第２の切り込み部、
４７Ａ〜４７Ｄ…第５の折り曲げ部、４８…設置部、
２００、２００Ａ〜２００Ｄ…粘着面、
２０１、２０１Ａ〜２０１Ｄ…粘着面、
２０２、２０２Ａ〜２０２Ｄ…第１の側縁部、
２０３、２０３Ａ〜２０３Ｄ…第２の側縁部、
２０４、２０４Ａ〜２０４Ｄ…上縁部、
２０５、２０５Ａ〜２０５Ｄ…下縁部、
２０６、２０６Ａ〜２０６Ｄ…色切替部、２０７Ａ…青色、２０７Ｂ…黒色、
２０８Ａ…第１の色、２０８Ｂ…第２の色、２０９Ａ〜２０９Ｄ…隅部、
２２０…粘着面、３００…上端部、３０１…下端部、
３０２…支持端部、３０３Ａ、３０３Ｂ…溝部、
４００Ａ〜４００Ｅ…折り曲げ線、４１０Ａ〜４１０Ｅ…折り曲げ線、
Ｓ…設置面、Ｇ…空隙
【図１】
2020048545.tif 000004
【図２】
2020048545.tif 000005
【図３】
2020048545.tif 000006
【図４】
2020048545.tif 000007
【図５】
2020048545.tif 000008
【図６】
2020048545.tif 000009
【図７】
2020048545.tif 000010
【図８】
2020048545.tif 000011
【図９】
2020048545.tif 000012
【図１０】
2020048545.tif 000013